(57)【要約】【課題】壁コンセントからの電力供給の許可状態と禁止状態とを切り替える。【解決手段】交流電源の一端に接続されるホットラインと、前記ホットラインに接続されるホット側出力端子と、前記交流電源の他端に接続されるコールドラインと、前記コールドラインに接続されるコールド側出力端子と、接地されるグランドラインと、前記グランドラインに接続されるグランド側出力端子とを備える壁コンセントの不正接続防止装置は、コイルと、前記コイルに電流が流れる場合に閉状態になり、前記コイルに電流が流れない場合に開状態になるスイッチとを有するリレーを更に備え、前記コイルは、前記グランドラインに配置される、または、前記グランド側出力端子に接続されるラインに配置され、前記スイッチは、前記コールドラインに配置される、または、前記コールド側出力端子に接続されるラインに配置される。【選択図】図１
2018170111.tif 000002
【特許請求の範囲】
【請求項１】
交流電源の一端に接続されるホットラインと、
前記ホットラインに接続されるホット側出力端子と、
前記交流電源の他端に接続されるコールドラインと、
前記コールドラインに接続されるコールド側出力端子と、
接地されるグランドラインと、
前記グランドラインに接続されるグランド側出力端子とを備える壁コンセントの不正接続防止装置であって、
コイルと、前記コイルに電流が流れる場合に閉状態になり、前記コイルに電流が流れない場合に開状態になるスイッチとを有するリレーを更に備え、
前記コイルは、前記グランドラインに配置される、または、前記グランド側出力端子に接続されるラインに配置され、
前記スイッチは、前記コールドラインに配置される、または、前記コールド側出力端子に接続されるラインに配置される、
不正接続防止装置。
【請求項２】
前記壁コンセントに接続される電源ケーブルを更に備え、
前記電源ケーブルは、プラグ部と、ケーブル部とを備え、
前記プラグ部は、
前記ホット側出力端子に接続されるホット側入力端子と、
前記ホット側入力端子に接続されるプラグ部ホットラインと、
前記コールド側出力端子に接続されるコールド側入力端子と、
前記コールド側入力端子に接続されるプラグ部コールドラインと、
前記グランド側出力端子に接続されるグランド側入力端子と、
前記グランド側入力端子に接続されるプラグ部グランドラインと、
前記プラグ部ホットラインと前記プラグ部グランドラインとを短絡する短絡ラインと、
前記短絡ラインに配置される可変抵抗と、
前記可変抵抗の抵抗値を制御する抵抗値制御部とを備え、
前記コイルは、前記グランドラインに配置され、
前記スイッチは、前記コールドラインに配置され、
前記抵抗値制御部は、
前記壁コンセントから前記電源ケーブルへの電力供給が許可される場合に、前記可変抵抗の抵抗値を第１の値に制御することによって、前記スイッチを前記閉状態にし、
前記壁コンセントから前記電源ケーブルへの電力供給が禁止される場合に、前記可変抵抗の抵抗値を前記第１の値より大きい第２の値に制御することによって、前記スイッチを前記開状態にする、
請求項１に記載の不正接続防止装置。
【請求項３】
前記壁コンセントに接続されるコンセントアダプタを更に備え、
前記コンセントアダプタは、
前記ホット側出力端子に接続されるアダプタホット側入力端子と、
前記アダプタホット側入力端子に接続されるアダプタホットラインと、
前記アダプタホットラインに接続されるアダプタホット側出力端子と、
前記コールド側出力端子に接続されるアダプタコールド側入力端子と、
前記アダプタコールド側入力端子に接続されるアダプタコールドラインと、
前記アダプタコールドラインに接続されるアダプタコールド側出力端子と、
前記グランド側出力端子に接続されるアダプタグランド側入力端子と、
前記アダプタグランド側入力端子に接続されるアダプタグランドラインと、
前記アダプタグランドラインに接続されるアダプタグランド側出力端子とを備え、
前記コイルは、前記アダプタグランドラインに配置され、
前記スイッチは、前記アダプタコールドラインに配置される、
請求項１に記載の不正接続防止装置。
【請求項４】
前記コンセントアダプタに接続される電源ケーブルを更に備え、
前記電源ケーブルは、プラグ部と、ケーブル部とを備え、
前記プラグ部は、
前記アダプタホット側出力端子に接続されるプラグ部ホット側入力端子と、
前記プラグ部ホット側入力端子に接続されるプラグ部ホットラインと、
前記アダプタコールド側出力端子に接続されるプラグ部コールド側入力端子と、
前記プラグ部コールド側入力端子に接続されるプラグ部コールドラインと、
前記アダプタグランド側出力端子に接続されるプラグ部グランド側入力端子と、
前記プラグ部グランド側入力端子に接続されるプラグ部グランドラインと、
前記プラグ部ホットラインと前記プラグ部グランドラインとを短絡する短絡ラインと、
前記短絡ラインに配置される可変抵抗と、
前記可変抵抗の抵抗値を制御する抵抗値制御部とを備え、
前記抵抗値制御部は、
前記壁コンセントから前記電源ケーブルへの電力供給が許可される場合に、前記可変抵抗の抵抗値を第１の値に制御することによって、前記スイッチを前記閉状態にし、
前記壁コンセントから前記電源ケーブルへの電力供給が禁止される場合に、前記可変抵抗の抵抗値を前記第１の値より大きい第２の値に制御することによって、前記スイッチを前記開状態にする、
請求項３に記載の不正接続防止装置。
【請求項５】
前記壁コンセントに接続されるコンセントアダプタを更に備え、
前記コンセントアダプタは、
前記ホット側出力端子に接続されるアダプタホット側入力端子と、
前記アダプタホット側入力端子に接続されるアダプタホットラインと、
前記アダプタホットラインに接続されるアダプタホット側出力端子と、
前記コールド側出力端子に接続されるアダプタコールド側入力端子と、
前記アダプタコールド側入力端子に接続されるアダプタコールドラインと、
前記アダプタコールドラインに接続されるアダプタコールド側出力端子と、
前記グランド側出力端子に接続されるアダプタグランド側入力端子と、
前記アダプタグランド側入力端子に接続されるアダプタグランドラインと、
前記アダプタグランドラインに接続されるアダプタグランド側出力端子と、
前記アダプタグランドラインに配置される抵抗と、
前記アダプタホットラインと前記アダプタグランドラインとを短絡する短絡ラインと、
前記短絡ラインに配置される可変抵抗と、
前記可変抵抗の抵抗値を制御する抵抗値制御部とを備え、
前記コイルは、前記短絡ラインに配置され、
前記スイッチは、前記アダプタコールドラインに配置される、
請求項１に記載の不正接続防止装置。
【請求項６】
前記リレーは、前記アダプタホットラインに配置される他のスイッチを更に備え、
前記他のスイッチは、前記コイルに電流が流れる場合に閉状態になり、前記コイルに電流が流れない場合に開状態になる、
請求項５に記載の不正接続防止装置。
【請求項７】
前記コンセントアダプタに接続される電源ケーブルを更に備え、
前記電源ケーブルは、プラグ部と、ケーブル部とを備え、
前記プラグ部は、
前記アダプタホット側出力端子に接続されるプラグ部ホット側入力端子と、
前記プラグ部ホット側入力端子に接続されるプラグ部ホットラインと、
前記アダプタコールド側出力端子に接続されるプラグ部コールド側入力端子と、
前記プラグ部コールド側入力端子に接続されるプラグ部コールドラインと、
前記アダプタグランド側出力端子に接続されるプラグ部グランド側入力端子と、
前記プラグ部グランド側入力端子に接続されるプラグ部グランドラインとを備え、
前記ケーブル部は、予め定められた値の抵抗値を有する抵抗を備え、
前記電源ケーブルが前記コンセントアダプタに接続される場合に、前記スイッチおよび前記他のスイッチは閉状態になり、
前記予め定められた値以外の抵抗値を有する他の抵抗を備えた他の電源ケーブルが前記コンセントアダプタに接続される場合に、前記スイッチおよび前記他のスイッチは開状態になる、
請求項６に記載の不正接続防止装置。
【請求項８】
前記コンセントアダプタに接続される電源ケーブルと、
サーバ装置と、
携帯端末装置とを更に備え、
前記サーバ装置は、認証部と、通信部とを備え、
前記携帯端末装置は、識別部と、通信部と、通電制御指令部とを備え、
前記コンセントアダプタは、通電制御部と、通信部と、識別情報とを更に備え、
前記電源ケーブルは、識別情報を備え、
前記サーバ装置の通信部と、前記携帯端末装置の通信部とは、第１通信回線を介して接続され、
前記携帯端末装置の通信部と、前記コンセントアダプタの通信部とは、第２通信回線を介して接続され、
前記識別部は、前記コンセントアダプタの識別情報と、前記電源ケーブルの識別情報と、前記電源ケーブルに接続される電気機器の識別情報との識別を行い、
前記携帯端末装置の通信部は、前記識別部によって行われた識別結果を前記サーバ装置の通信部に送信し、
前記認証部は、前記識別結果に基づいて、電気利用を許可できるか否かの認証を行い、
前記サーバ装置の通信部は、前記認証部によって行われた認証結果を前記携帯端末装置の通信部に送信し、
前記通電制御指令部は、前記認証結果に基づいて、前記コイルに電流を流すか否かの指令を出し、
前記携帯端末装置の通信部は、前記通電制御指令部によって出された前記指令を前記コンセントアダプタの通信部に送信し、
前記通電制御部は、前記指令に基づいて、前記コイルに電流を流すか否かの制御を行う、
請求項５に記載の不正接続防止装置。
【請求項９】
前記コンセントアダプタに接続される電源ケーブルと、
サーバ装置と、
携帯端末装置とを更に備え、
前記コンセントアダプタは、通電制御部と、通信部と、第１機器番号と、設置場所情報と、現在時刻情報と、識別情報生成部と、認証部とを更に備え、
前記識別情報生成部は、前記第１機器番号と、前記設置場所情報と、前記現在時刻情報とに基づいて識別情報を生成し、
前記携帯端末装置は、識別部と、通信部と、通電制御指令部と、前記コンセントアダプタの設置場所に関する情報である設置場所情報と、現在時刻情報とを備え、
前記サーバ装置は、認証部と、通信部と、逆演算を行うことによって前記第１機器番号に対応する第２機器番号を生成する機器番号生成部とを備え、
前記電源ケーブルは、識別情報を備え、
前記サーバ装置の通信部と、前記携帯端末装置の通信部とは、第１通信回線を介して接続され、
前記携帯端末装置の通信部と、前記コンセントアダプタの通信部とは、第２通信回線を介して接続され、
前記識別部は、前記コンセントアダプタの識別情報と、前記電源ケーブルの識別情報と、前記電源ケーブルに接続される電気機器の識別情報との識別を行い、
前記携帯端末装置の通信部は、前記識別部によって行われた識別結果と、前記設置場所情報と、前記現在時刻情報とを前記サーバ装置の通信部に送信し、
前記機器番号生成部は、前記サーバ装置の通信部が受信した前記識別結果と、前記設置場所情報と、前記現在時刻情報とに基づいて前記第２機器番号を生成し、
前記サーバ装置の認証部は、前記識別結果と、前記第２機器番号とに基づいて、電気利用を許可できるか否かの認証を行い、
前記サーバ装置の通信部は、前記認証部によって行われた認証結果と、前記第２機器番号とを前記携帯端末の通信部に送信し、
前記通電制御指令部は、前記認証結果に基づいて、前記コイルに電流を流すか否かの指令を出し、
前記携帯端末装置の通信部は、前記通電制御指令部によって出された前記指令と、前記第２機器番号とを前記コンセントアダプタの通信部に送信し、
前記コンセントアダプタの認証部は、前記第１機器番号と前記第２機器番号とを照合し、
前記第１機器番号と前記第２機器番号とが合致すると前記コンセントアダプタの認証部が認証した場合に、前記通電制御部は、前記指令に基づいて、前記コイルに電流を流すか否かの制御を行う、
請求項５に記載の不正接続防止装置。
【発明の詳細な説明】
【技術分野】
【０００１】
本発明の実施形態は、不正接続防止装置に関する。
【背景技術】
【０００２】
屋外コンセントの盗電防止対策は、これまで施錠などにより、物理的にプラグを差し込めないようにする方法が一般的だった（例えば、特許文献１等参照）。電子認証による通電制御も提案されているが、コンセント側の認証回路が複雑でありコストがかかるため普及していない（例えば、特許文献２等参照）。
【先行技術文献】
【特許文献】
【０００３】
【特許文献１】特許第５３１９５７３号公報
【特許文献２】特開２０１４−０５３２３９号公報
【発明の概要】
【発明が解決しようとする課題】
【０００４】
ＥＶ（Ｅｌｅｃｔｒｉｃ  Ｖｅｈｉｃｌｅ）の普及により、今後は商業施設に限らず、マンション共用部のコンセントや、一般住宅の屋外コンセントでも、正当な利用者であればコンセントが使えるような仕組みが必要となっている。その際、従来の施錠方式のような物理的な対策では、鍵を管理する必要があり現実的では無い。またＩＣチップ等による利用者認証方式は、コンセント側に認証機能を実装する必要があり、コストがかかってしまう。
本発明は、斯かる実情に鑑みなされたものであり、本発明の目的は、壁コンセントからの電力供給の許可状態と禁止状態とを切り替えることができる不正接続防止装置を提供することにある。
【課題を解決するための手段】
【０００５】
本発明の一態様は、交流電源の一端に接続されるホットラインと、前記ホットラインに接続されるホット側出力端子と、前記交流電源の他端に接続されるコールドラインと、前記コールドラインに接続されるコールド側出力端子と、接地されるグランドラインと、前記グランドラインに接続されるグランド側出力端子とを備える壁コンセントの不正接続防止装置であって、コイルと、前記コイルに電流が流れる場合に閉状態になり、前記コイルに電流が流れない場合に開状態になるスイッチとを有するリレーを更に備え、前記コイルは、前記グランドラインに配置される、または、前記グランド側出力端子に接続されるラインに配置され、前記スイッチは、前記コールドラインに配置される、または、前記コールド側出力端子に接続されるラインに配置される、不正接続防止装置である。
【０００６】
本発明の一態様の不正接続防止装置において、前記壁コンセントに接続される電源ケーブルを更に備え、前記電源ケーブルは、プラグ部と、ケーブル部とを備え、前記プラグ部は、前記ホット側出力端子に接続されるホット側入力端子と、前記ホット側入力端子に接続されるプラグ部ホットラインと、前記コールド側出力端子に接続されるコールド側入力端子と、前記コールド側入力端子に接続されるプラグ部コールドラインと、前記グランド側出力端子に接続されるグランド側入力端子と、前記グランド側入力端子に接続されるプラグ部グランドラインと、前記プラグ部ホットラインと前記プラグ部グランドラインとを短絡する短絡ラインと、前記短絡ラインに配置される可変抵抗と、前記可変抵抗の抵抗値を制御する抵抗値制御部とを備え、前記コイルは、前記グランドラインに配置され、前記スイッチは、前記コールドラインに配置され、前記抵抗値制御部は、前記壁コンセントから前記電源ケーブルへの電力供給が許可される場合に、前記可変抵抗の抵抗値を第１の値に制御することによって、前記スイッチを前記閉状態にし、前記壁コンセントから前記電源ケーブルへの電力供給が禁止される場合に、前記可変抵抗の抵抗値を前記第１の値より大きい第２の値に制御することによって、前記スイッチを前記開状態にする。
【０００７】
本発明の一態様の不正接続防止装置において、前記壁コンセントに接続されるコンセントアダプタを更に備え、前記コンセントアダプタは、前記ホット側出力端子に接続されるアダプタホット側入力端子と、前記アダプタホット側入力端子に接続されるアダプタホットラインと、前記アダプタホットラインに接続されるアダプタホット側出力端子と、前記コールド側出力端子に接続されるアダプタコールド側入力端子と、前記アダプタコールド側入力端子に接続されるアダプタコールドラインと、前記アダプタコールドラインに接続されるアダプタコールド側出力端子と、前記グランド側出力端子に接続されるアダプタグランド側入力端子と、前記アダプタグランド側入力端子に接続されるアダプタグランドラインと、前記アダプタグランドラインに接続されるアダプタグランド側出力端子とを備え、前記コイルは、前記アダプタグランドラインに配置され、前記スイッチは、前記アダプタコールドラインに配置される。
【０００８】
本発明の一態様の不正接続防止装置において、前記コンセントアダプタに接続される電源ケーブルを更に備え、前記電源ケーブルは、プラグ部と、ケーブル部とを備え、前記プラグ部は、前記アダプタホット側出力端子に接続されるプラグ部ホット側入力端子と、前記プラグ部ホット側入力端子に接続されるプラグ部ホットラインと、前記アダプタコールド側出力端子に接続されるプラグ部コールド側入力端子と、前記プラグ部コールド側入力端子に接続されるプラグ部コールドラインと、前記アダプタグランド側出力端子に接続されるプラグ部グランド側入力端子と、前記プラグ部グランド側入力端子に接続されるプラグ部グランドラインと、前記プラグ部ホットラインと前記プラグ部グランドラインとを短絡する短絡ラインと、前記短絡ラインに配置される可変抵抗と、前記可変抵抗の抵抗値を制御する抵抗値制御部とを備え、前記抵抗値制御部は、前記壁コンセントから前記電源ケーブルへの電力供給が許可される場合に、前記可変抵抗の抵抗値を第１の値に制御することによって、前記スイッチを前記閉状態にし、前記壁コンセントから前記電源ケーブルへの電力供給が禁止される場合に、前記可変抵抗の抵抗値を前記第１の値より大きい第２の値に制御することによって、前記スイッチを前記開状態にする。
【０００９】
本発明の一態様の不正接続防止装置において、前記壁コンセントに接続されるコンセントアダプタを更に備え、前記コンセントアダプタは、前記ホット側出力端子に接続されるアダプタホット側入力端子と、前記アダプタホット側入力端子に接続されるアダプタホットラインと、前記アダプタホットラインに接続されるアダプタホット側出力端子と、前記コールド側出力端子に接続されるアダプタコールド側入力端子と、前記アダプタコールド側入力端子に接続されるアダプタコールドラインと、前記アダプタコールドラインに接続されるアダプタコールド側出力端子と、前記グランド側出力端子に接続されるアダプタグランド側入力端子と、前記アダプタグランド側入力端子に接続されるアダプタグランドラインと、前記アダプタグランドラインに接続されるアダプタグランド側出力端子と、前記アダプタグランドラインに配置される抵抗と、前記アダプタホットラインと前記アダプタグランドラインとを短絡する短絡ラインと、前記短絡ラインに配置される可変抵抗と、前記可変抵抗の抵抗値を制御する抵抗値制御部とを備え、前記コイルは、前記短絡ラインに配置され、前記スイッチは、前記アダプタコールドラインに配置される。
【００１０】
本発明の一態様の不正接続防止装置において、前記リレーは、前記アダプタホットラインに配置される他のスイッチを更に備え、前記他のスイッチは、前記コイルに電流が流れる場合に閉状態になり、前記コイルに電流が流れない場合に開状態になる。
【００１１】
本発明の一態様の不正接続防止装置において、前記コンセントアダプタに接続される電源ケーブルを更に備え、前記電源ケーブルは、プラグ部と、ケーブル部とを備え、前記プラグ部は、前記アダプタホット側出力端子に接続されるプラグ部ホット側入力端子と、前記プラグ部ホット側入力端子に接続されるプラグ部ホットラインと、前記アダプタコールド側出力端子に接続されるプラグ部コールド側入力端子と、前記プラグ部コールド側入力端子に接続されるプラグ部コールドラインと、前記アダプタグランド側出力端子に接続されるプラグ部グランド側入力端子と、前記プラグ部グランド側入力端子に接続されるプラグ部グランドラインとを備え、前記ケーブル部は、予め定められた値の抵抗値を有する抵抗を備え、前記電源ケーブルが前記コンセントアダプタに接続される場合に、前記スイッチおよび前記他のスイッチは閉状態になり、前記予め定められた値以外の抵抗値を有する他の抵抗を備えた他の電源ケーブルが前記コンセントアダプタに接続される場合に、前記スイッチおよび前記他のスイッチは開状態になる。
【００１２】
本発明の一態様の不正接続防止装置において、前記コンセントアダプタに接続される電源ケーブルと、サーバ装置と、携帯端末装置とを更に備え、前記サーバ装置は、認証部と、通信部とを備え、前記携帯端末装置は、識別部と、通信部と、通電制御指令部とを備え、前記コンセントアダプタは、通電制御部と、通信部と、識別情報とを更に備え、前記電源ケーブルは、識別情報を備え、前記サーバ装置の通信部と、前記携帯端末装置の通信部とは、第１通信回線を介して接続され、前記携帯端末装置の通信部と、前記コンセントアダプタの通信部とは、第２通信回線を介して接続され、前記識別部は、前記コンセントアダプタの識別情報と、前記電源ケーブルの識別情報と、前記電源ケーブルに接続される電気機器の識別情報との識別を行い、前記携帯端末装置の通信部は、前記識別部によって行われた識別結果を前記サーバ装置の通信部に送信し、前記認証部は、前記識別結果に基づいて、電気利用を許可できるか否かの認証を行い、前記サーバ装置の通信部は、前記認証部によって行われた認証結果を前記携帯端末装置の通信部に送信し、前記通電制御指令部は、前記認証結果に基づいて、前記コイルに電流を流すか否かの指令を出し、前記携帯端末装置の通信部は、前記通電制御指令部によって出された前記指令を前記コンセントアダプタの通信部に送信し、前記通電制御部は、前記指令に基づいて、前記コイルに電流を流すか否かの制御を行う。
【００１３】
本発明の一態様の不正接続防止装置において、前記コンセントアダプタに接続される電源ケーブルと、サーバ装置と、携帯端末装置とを更に備え、前記コンセントアダプタは、通電制御部と、通信部と、第１機器番号と、設置場所情報と、現在時刻情報と、識別情報生成部と、認証部とを更に備え、前記識別情報生成部は、前記第１機器番号と、前記設置場所情報と、前記現在時刻情報とに基づいて識別情報を生成し、前記携帯端末装置は、識別部と、通信部と、通電制御指令部と、前記コンセントアダプタの設置場所に関する情報である設置場所情報と、現在時刻情報とを備え、前記サーバ装置は、認証部と、通信部と、逆演算を行うことによって前記第１機器番号に対応する第２機器番号を生成する機器番号生成部とを備え、前記電源ケーブルは、識別情報を備え、前記サーバ装置の通信部と、前記携帯端末装置の通信部とは、第１通信回線を介して接続され、前記携帯端末装置の通信部と、前記コンセントアダプタの通信部とは、第２通信回線を介して接続され、前記識別部は、前記コンセントアダプタの識別情報と、前記電源ケーブルの識別情報と、前記電源ケーブルに接続される電気機器の識別情報との識別を行い、前記携帯端末装置の通信部は、前記識別部によって行われた識別結果と、前記設置場所情報と、前記現在時刻情報とを前記サーバ装置の通信部に送信し、前記機器番号生成部は、前記サーバ装置の通信部が受信した前記識別結果と、前記設置場所情報と、前記現在時刻情報とに基づいて前記第２機器番号を生成し、前記サーバ装置の認証部は、前記識別結果と、前記第２機器番号とに基づいて、電気利用を許可できるか否かの認証を行い、前記サーバ装置の通信部は、前記認証部によって行われた認証結果と、前記第２機器番号とを前記携帯端末の通信部に送信し、前記通電制御指令部は、前記認証結果に基づいて、前記コイルに電流を流すか否かの指令を出し、前記携帯端末装置の通信部は、前記通電制御指令部によって出された前記指令と、前記第２機器番号とを前記コンセントアダプタの通信部に送信し、前記コンセントアダプタの認証部は、前記第１機器番号と前記第２機器番号とを照合し、前記第１機器番号と前記第２機器番号とが合致すると前記コンセントアダプタの認証部が認証した場合に、前記通電制御部は、前記指令に基づいて、前記コイルに電流を流すか否かの制御を行う。
【発明の効果】
【００１４】
本発明によれば、壁コンセントからの電力供給の許可状態と禁止状態とを切り替えることができる不正接続防止装置を提供することができる。
【図面の簡単な説明】
【００１５】
【図１】第１実施形態の壁コンセントの不正接続防止装置の概要を示す図である。
【図２】第２実施形態の壁コンセントの不正接続防止装置の概要を示す図である。
【図３】第３実施形態の壁コンセントの不正接続防止装置の概要を示す図である。
【図４】第４実施形態の壁コンセントの不正接続防止装置の概要を示す図である。
【発明を実施するための形態】
【００１６】
以下、本発明の実施の形態について添付図面を参照して説明する。
【００１７】
（第１実施形態）
図１は、第１実施形態の壁コンセント１１の不正接続防止装置１の概要を示す図である。
図１に示す例では、不正接続防止装置１は、壁コンセント１１と、電源ケーブル１３とを備えている。電源ケーブル１３は、例えばＥＶなどのような電気機器（図示せず）に接続されている。
壁コンセント１１は、ホットライン１１ＨＬと、ホット側出力端子１１ＨＯＴと、コールドライン１１ＣＬと、コールド側出力端子１１ＣＯＴと、グランドライン１１ＧＬと、グランド側出力端子１１ＧＯＴと、リレーＲＬとを備えている。
ホットライン１１ＨＬは、漏電遮断器ＥＬＢを介して交流電源ＡＣの一端に接続されている。交流電源ＡＣの電圧は、例えば１００［Ｖ］である。漏電遮断器ＥＬＢの定格感度電流は、例えば３０［ｍＡ］である。ホット側出力端子１１ＨＯＴは、ホットライン１１ＨＬに接続されている。コールドライン１１ＣＬは、漏電遮断器ＥＬＢを介して交流電源ＡＣの他端に接続されている。交流電源ＡＣの他端は、接地抵抗ＲＧを介して接地されている。接地は、例えば接地抵抗ＲＧの抵抗値が１００［Ω］以下のＤ接地である。コールド側出力端子１１ＣＯＴは、コールドライン１１ＣＬに接続されている。グランドライン１１ＧＬは、接地抵抗ＲＧを介して接地されている。グランド側出力端子１１ＧＯＴは、グランドライン１１ＧＬに接続されている。
リレーＲＬは、コイルＲＬ１と、スイッチＲＬ２とを備えている。コイルＲＬ１は、グランドライン１１ＧＬに配置されている。スイッチＲＬ２は、コールドライン１１ＣＬに配置されている。
【００１８】
図１に示す例では、壁コンセント１１から電源ケーブル１３を介して電気機器に電力を供給する場合に、電源ケーブル１３が壁コンセント１１に接続される。
電源ケーブル１３は、プラグ部１３１と、ケーブル部１３２とを備えている。ケーブル部１３２は、電気機器に接続されている。
プラグ部１３１は、ホット側入力端子１３１ＨＩＴと、ホットライン１３１ＨＬと、コールド側入力端子１３１ＣＩＴと、コールドライン１３１ＣＬと、グランド側入力端子１３１ＧＩＴと、グランドライン１３１ＧＬと、短絡ライン１３１ＳＬと、可変抵抗１３１ＶＲと、抵抗値制御部１３１ＣＴＲとを備えている。
ホット側入力端子１３１ＨＩＴは、ホット側出力端子１１ＨＯＴに接続される。ホットライン１３１ＨＬは、ホット側入力端子１３１ＨＩＴに接続されている。コールド側入力端子１３１ＣＩＴは、コールド側出力端子１１ＣＯＴに接続される。コールドライン１３１ＣＬは、コールド側入力端子１３１ＣＩＴに接続されている。グランド側入力端子１３１ＧＩＴは、グランド側出力端子１１ＧＯＴに接続される。グランドライン１３１ＧＬは、グランド側入力端子１３１ＧＩＴに接続されている。短絡ライン１３１ＳＬは、ホットライン１３１ＨＬとグランドライン１３１ＧＬとを短絡する。可変抵抗１３１ＶＲは、短絡ライン１３１ＳＬに配置されている。
【００１９】
図１に示す例では、抵抗値制御部１３１ＣＴＲが、可変抵抗１３１ＶＲの抵抗値を制御する。
詳細には、壁コンセント１１から電源ケーブル１３を介して電気機器に電力供給が許可される場合（例えば、外部制御端末装置（図示せず）が抵抗値制御部１３１ＣＴＲに電力供給許可指令を出した場合）に、抵抗値制御部１３１ＣＴＲは、可変抵抗１３１ＶＲの抵抗値を第１の値に制御する。そのため、微小電流が、交流電源ＡＣの一端から、ホットライン１１ＨＬ、ホット側出力端子１１ＨＯＴ、ホット側入力端子１３１ＨＩＴ、ホットライン１３１ＨＬ、短絡ライン１３１ＳＬ、可変抵抗１３１ＶＲ、グランドライン１３１ＧＬ、グランド側入力端子１３１ＧＩＴ、グランド側出力端子１１ＧＯＴ、グランドライン１１ＧＬ、コイルＲＬ１および接地抵抗ＲＧを介してグランドに流れる。つまり、微小電流が、コイルＲＬ１に流れる。その結果、電磁力が発生し、スイッチＲＬ２は閉状態になる。従って、壁コンセント１１から電気機器に電力が供給される。
微小電流とは、微小電流が流れても漏電遮断器ＥＬＢが稼働しない程度の小さい電流である。
一方、壁コンセント１１から電気機器への電力供給が禁止される場合には、抵抗値制御部１３１ＣＴＲは、可変抵抗１３１ＶＲの抵抗値を第１の値より大きい第２の値に制御する。第２の値は、電流が可変抵抗１３１ＶＲを流れることができない程度に大きい値である。そのため、コイルＲＬ１には、電流が流れない。その結果、電磁力は発生せず、スイッチＲＬ２は開状態になる。従って、壁コンセント１１から電気機器に、電力は供給されない。
【００２０】
図１に示す例では、電源ケーブル１３以外の電源ケーブル（図示せず）が壁コンセント１１に接続される場合には、微小電流がコイルＲＬ１に流れないため、スイッチＲＬ２は閉状態にならず、壁コンセント１１から電気機器に電力は供給されない。
【００２１】
上述したように、第１実施形態の不正接続防止装置１では、スイッチＲＬ２が閉状態の場合に壁コンセント１１からの電力供給が許可され、スイッチＲＬ２が開状態の場合に壁コンセント１１からの電力供給が禁止される。つまり、不正接続防止装置１は、壁コンセント１１からの電力供給の許可状態と禁止状態とを切り替えることができる。そのため、不正接続防止装置１は、物理的な施錠管理や特別な認証機能を用意する必要なく、壁コンセント１１からの電力の不正利用を防止することができる。
【００２２】
（第２実施形態）
以下、第２実施形態の不正接続防止装置１について説明する。第２実施形態の不正接続防止装置１は、後述する点を除き、第１実施形態の不正接続防止装置１と同様に構成されている。従って、第２実施形態の不正接続防止装置１によれば、後述する点を除き、第１実施形態の不正接続防止装置１と同様の効果を奏することができる。
【００２３】
図２は、第２実施形態の壁コンセント１１の不正接続防止装置１の概要を示す図である。
図２に示す例では、不正接続防止装置１が、壁コンセント１１と、電源ケーブル１３と、壁コンセント１１に接続されるプラグ部１２Ｐと電源ケーブル１３に接続されるコンセント部１２Ｃとを有するコンセントアダプタ１２とを備えている。
【００２４】
図１に示す例では、壁コンセント１１がリレーＲＬを備えているが、図２に示す例では、壁コンセント１１がリレーＲＬを備えておらず、コンセントアダプタ１２がリレーＲＬを備えている。
【００２５】
図２に示す例では、コンセントアダプタ１２が、ホット側入力端子１２ＨＩＴと、ホットライン１２ＨＬと、ホット側出力端子１２ＨＯＴと、コールド側入力端子１２ＣＩＴと、コールドライン１２ＣＬと、コールド側出力端子１２ＣＯＴと、グランド側入力端子１２ＧＩＴと、グランドライン１２ＧＬと、グランド側出力端子１２ＧＯＴとを備えている。
ホット側入力端子１２ＨＩＴは、ホット側出力端子１１ＨＯＴに接続される。ホットライン１２ＨＬは、ホット側入力端子１２ＨＩＴに接続されている。ホット側出力端子１２ＨＯＴは、ホットライン１２ＨＬに接続されている。コールド側入力端子１２ＣＩＴは、コールド側出力端子１１ＣＯＴに接続される。コールドライン１２ＣＬは、コールド側入力端子１２ＣＩＴに接続されている。コールド側出力端子１２ＣＯＴは、コールドライン１２ＣＬに接続されている。グランド側入力端子１２ＧＩＴは、グランド側出力端子１１ＧＯＴに接続される。グランドライン１２ＧＬは、グランド側入力端子１２ＧＩＴに接続されている。グランド側出力端子１２ＧＯＴは、グランドライン１２ＧＬに接続されている。
コイルＲＬ１は、グランドライン１２ＧＬに配置されている。スイッチＲＬ２は、コールドライン１２ＣＬに配置されている。
【００２６】
図２に示す例では、壁コンセント１１からコンセントアダプタ１２および電源ケーブル１３を介して電気機器に電力を供給する場合に、電源ケーブル１３がコンセントアダプタ１２に接続されると共に、コンセントアダプタ１２が壁コンセント１１に接続される。
詳細には、ホット側入力端子１３１ＨＩＴが、ホット側出力端子１２ＨＯＴに接続される。コールド側入力端子１３１ＣＩＴは、コールド側出力端子１２ＣＯＴに接続される。グランド側入力端子１３１ＧＩＴは、グランド側出力端子１２ＧＯＴに接続される。
【００２７】
図２に示す例では、抵抗値制御部１３１ＣＴＲが、可変抵抗１３１ＶＲの抵抗値を制御する。
詳細には、壁コンセント１１から電源ケーブル１３および、コンセントアダプタ１２を介して電気機器に電力供給が許可される場合に、抵抗値制御部１３１ＣＴＲは、可変抵抗１３１ＶＲの抵抗値を第１の値に制御する。そのため、微小電流が、交流電源ＡＣの一端から、ホットライン１１ＨＬ、ホット側出力端子１１ＨＯＴ、ホット側入力端子１２ＨＩＴ、ホットライン１２ＨＬ、ホット側出力端子１２ＨＯＴ、ホット側入力端子１３１ＨＩＴ、ホットライン１３１ＨＬ、短絡ライン１３１ＳＬ、可変抵抗１３１ＶＲ、グランドライン１３１ＧＬ、グランド側入力端子１３１ＧＩＴ、グランド側出力端子１２ＧＯＴ、グランドライン１２ＧＬ、コイルＲＬ１、グランド側入力端子１２ＧＩＴ、グランド側出力端子１１ＧＯＴ、グランドライン１１ＧＬおよび接地抵抗ＲＧを介してグランドに流れる。つまり、微小電流が、コイルＲＬ１に流れる。その結果、電磁力が発生し、スイッチＲＬ２は閉状態になる。従って、壁コンセント１１から電気機器に電力が供給される。
一方、壁コンセント１１から電気機器への電力供給が禁止される場合には、抵抗値制御部１３１ＣＴＲは、可変抵抗１３１ＶＲの抵抗値を第２の値に制御する。そのため、コイルＲＬ１には、電流が流れない。その結果、電磁力は発生せず、スイッチＲＬ２は開状態になる。従って、壁コンセント１１から電気機器に電力は供給されない。
【００２８】
図２に示す例では、通常時、コンセントアダプタ１２は、例えば特開２００１−１１８６３７号公報に記載されているような公知の施錠手段によって壁コンセント１１に離脱不可能に固定されている。
電源ケーブル１３以外の電源ケーブル（図示せず）がコンセントアダプタ１２に接続される場合には、微小電流がコイルＲＬ１に流れないため、スイッチＲＬ２は閉状態にならず、壁コンセント１１から電気機器に電力は供給されない。
【００２９】
上述したように、第２実施形態の不正接続防止装置１では、スイッチＲＬ２が閉状態の場合に壁コンセント１１からの電力供給が許可され、スイッチＲＬ２が開状態の場合に壁コンセント１１からの電力供給が禁止される。つまり、不正接続防止装置１は、壁コンセント１１からの電力供給の許可状態と禁止状態とを切り替えることができる。そのため、不正接続防止装置１は、特別な認証機能を用意する必要なく、壁コンセント１１からの電力の不正利用を防止することができる。
【００３０】
（第３実施形態）
以下、第３実施形態の不正接続防止装置１について説明する。第３実施形態の不正接続防止装置１は、後述する点を除き、第１実施形態の不正接続防止装置１と同様に構成されている。従って、第３実施形態の不正接続防止装置１によれば、後述する点を除き、第１実施形態の不正接続防止装置１と同様の効果を奏することができる。
【００３１】
図３は、第３実施形態の壁コンセント１１の不正接続防止装置１の概要を示す図である。
図３に示す例では、不正接続防止装置１が、壁コンセント１１と、電源ケーブル１３と、壁コンセント１１に接続されるプラグ部１２Ｐと電源ケーブル１３に接続されるコンセント部１２Ｃとを有するコンセントアダプタ１２とを備えている。
【００３２】
図１に示す例では、壁コンセント１１がリレーＲＬを備えているが、図３に示す例では、壁コンセント１１がリレーＲＬを備えておらず、コンセントアダプタ１２がリレーＲＬを備えている。
図１に示す例では、電源ケーブル１３が、短絡ライン１３１ＳＬと、可変抵抗１３１ＶＲと、抵抗値制御部１３１ＣＴＲとを備えている。一方、図３に示す例では、電源ケーブル１３が、短絡ライン１３１ＳＬと、可変抵抗１３１ＶＲと、抵抗値制御部１３１ＣＴＲとを備えていない。
【００３３】
図３に示す例では、コンセントアダプタ１２が、ホット側入力端子１２ＨＩＴと、ホットライン１２ＨＬと、ホット側出力端子１２ＨＯＴと、コールド側入力端子１２ＣＩＴと、コールドライン１２ＣＬと、コールド側出力端子１２ＣＯＴと、グランド側入力端子１２ＧＩＴと、グランドライン１２ＧＬと、グランド側出力端子１２ＧＯＴとを備えている。
ホット側入力端子１２ＨＩＴは、ホット側出力端子１１ＨＯＴに接続される。ホットライン１２ＨＬは、ホット側入力端子１２ＨＩＴに接続されている。ホット側出力端子１２ＨＯＴは、ホットライン１２ＨＬに接続されている。コールド側入力端子１２ＣＩＴは、コールド側出力端子１１ＣＯＴに接続される。コールドライン１２ＣＬは、コールド側入力端子１２ＣＩＴに接続されている。コールド側出力端子１２ＣＯＴは、コールドライン１２ＣＬに接続されている。グランド側入力端子１２ＧＩＴは、グランド側出力端子１１ＧＯＴに接続される。グランドライン１２ＧＬは、グランド側入力端子１２ＧＩＴに接続されている。グランド側出力端子１２ＧＯＴは、グランドライン１２ＧＬに接続されている。
【００３４】
図３に示す例では、リレーＲＬが、コイルＲＬ１と、スイッチＲＬ２と、スイッチＲＬ２−２とを備えている。スイッチＲＬ２は、コールドライン１２ＣＬに配置されている。スイッチＲＬ２−２は、ホットライン１２ＨＬに配置されている。
コンセントアダプタ１２は、抵抗１２Ｒと、短絡ライン１２ＳＬと、可変抵抗１２ＶＲと、抵抗値制御部１２ＣＴＲとを更に備えている。抵抗１２Ｒは、グランドライン１２ＧＬに配置されている。短絡ライン１２ＳＬは、ホットライン１２ＨＬとグランドライン１２ＧＬとを短絡している。可変抵抗１２ＶＲは、短絡ライン１２ＳＬに配置されている。抵抗値制御部１２ＣＴＲは、可変抵抗１２ＶＲの抵抗値を制御する。コイルＲＬ１は、短絡ライン１２ＳＬに配置されている。
【００３５】
図３に示す例では、壁コンセント１１からコンセントアダプタ１２および電源ケーブル１３を介して電気機器ＥＥＱに電力を供給する場合に、電気機器ＥＥＱに接続された電源ケーブル１３が、コンセントアダプタ１２に接続されると共に、コンセントアダプタ１２が壁コンセント１１に接続される。
詳細には、ホット側入力端子１３１ＨＩＴが、ホット側出力端子１２ＨＯＴに接続される。コールド側入力端子１３１ＣＩＴは、コールド側出力端子１２ＣＯＴに接続される。グランド側入力端子１３１ＧＩＴは、グランド側出力端子１２ＧＯＴに接続される。
電源ケーブル１３は、プラグ部１３１と、ケーブル部１３２とを備えている。ケーブル部１３２は、電気機器ＥＥＱに接続されている。
【００３６】
図１に示す例では、プラグ部１３１が、短絡ライン１３１ＳＬと、可変抵抗１３１ＶＲと、抵抗値制御部１３１ＣＴＲとを備えている。一方、図３に示す例では、プラグ部１３１が、短絡ライン１３１ＳＬと、可変抵抗１３１ＶＲと、抵抗値制御部１３１ＣＴＲとを備えていない。
図１に示す例では、ケーブル部１３２が、コントロールユニットＣＣＩＤと、抵抗１３２Ｒを備えていない。一方、図３に示す例では、ケーブル部１３２が、コントロールユニットＣＣＩＤと、抵抗１３２Ｒを備えている。また、抵抗１３２Ｒは、予め定められた値の抵抗値を有する。
【００３７】
図３に示す例では、電源ケーブル１３がコンセントアダプタ１２に接続される場合に、抵抗値制御部１２ＣＴＲは、可変抵抗１２ＶＲの抵抗値を第１の値に制御する。そのため、微小電流が、交流電源ＡＣの一端から、ホットライン１１ＨＬ、ホット側出力端子１１ＨＯＴ、ホット側入力端子１２ＨＩＴ、ホットライン１２ＨＬ、短絡ライン１２ＳＬ、コイルＲＬ１、可変抵抗１２ＶＲ、グランドライン１２ＧＬ、グランド側出力端子１２ＧＯＴ、グランド側入力端子１３１ＧＩＴ、グランドライン１３１ＧＬ、コントロールユニットＣＣＩＤ、抵抗１３２Ｒ、電気機器ＥＥＱを介してグランドに流れる。つまり、微小電流が、コイルＲＬ１に流れる。その結果、電磁力が発生し、スイッチＲＬ２、ＲＬ２−２は閉状態になる。従って、壁コンセント１１から電気機器ＥＥＱに電力が供給される。
一方、予め定められた値以外の抵抗値を有する他の抵抗（図示せず）を備えた他の電源ケーブル（図示せず）がコンセントアダプタ１２に接続される場合に、抵抗値制御部１２ＣＴＲは、可変抵抗１２ＶＲの抵抗値を第２の値に制御する。そのため、コイルＲＬ１には、電流が流れない。その結果、電磁力は発生せず、スイッチＲＬ２、ＲＬ２−２は開状態になる。従って、壁コンセント１１から電気機器ＥＥＱに電力は供給されない。
【００３８】
上述したように、第３実施形態の不正接続防止装置１では、スイッチＲＬ２、ＲＬ２−２が閉状態の場合に壁コンセント１１からの電力供給が許可され、スイッチＲＬ２、ＲＬ２−２が開状態の場合に壁コンセント１１からの電力供給が禁止される。つまり、不正接続防止装置１は、壁コンセント１１からの電力供給の許可状態と禁止状態とを切り替えることができる。そのため、不正接続防止装置１は、物理的な施錠管理や特別な認証機能を用意する必要なく、壁コンセント１１からの電力の不正利用を防止することができる。
【００３９】
（第４実施形態）
以下、第４実施形態の不正接続防止装置１について説明する。第４実施形態の不正接続防止装置１は、後述する点を除き、第３実施形態の不正接続防止装置１と同様に構成されている。従って、第４実施形態の不正接続防止装置１によれば、後述する点を除き、第４実施形態の不正接続防止装置１と同様の効果を奏することができる。
【００４０】
図４は、第４実施形態の壁コンセント１１の不正接続防止装置１の概要を示す図である。
図４に示す例では、不正接続防止装置１が、壁コンセント１１と、コンセントアダプタ１２と、電源ケーブル１３と、サーバ装置１４と、携帯端末装置１５とを備えている。
コンセントアダプタ１２は、通電制御部１２１と、通信部１２２と、第１機器番号１２３１と、設置場所情報１２３２と、現在時刻情報１２３３と、固定機構１２４と、識別情報生成部１２５と、認証部１２６とを更に備えている。第１機器番号１２３１は、コンセントアダプタ１２に最初から記憶されている番号である。
コンセントアダプタ１２は、例えば現在時刻情報１２３３を生成するための計時機能等を内部に備えている。生成された現在時刻情報１２３３は、コンセントアダプタ１２によって保持されると共に、時間の経過に伴って更新される。
固定機構１２４は、例えば特開２００１−１１８６３７号公報に記載されているような公知の施錠手段と同様に構成されており、コンセントアダプタ１２を壁コンセント１１に離脱不可能に固定する。識別情報生成部１２５は、第１機器番号１２３１と、設置場所情報１２３２と、現在時刻情報１２３３とに基づいて識別情報１２３を生成する。
携帯端末装置１５は、識別部１５ａと、通信部１５ｂと、通電制御指令部１５ｃと、設置場所情報１５ｄと、現在時刻情報１５ｅとを備えている。設置場所情報１５ｄは、コンセントアダプタ１２の設置場所に関する情報である。
例えば、コンセントアダプタ１２が壁コンセント１１に接続される場合に、例えば壁コンセント１１の所有者は、携帯端末装置１５または所有者自身の携帯端末装置によってコンセントアダプタ１２の設置登録を行う。その時のその携帯端末装置のＧＰＳ情報が、設置場所情報１５ｄとして設定されると共に、コンセントアダプタ１２に送信されて設置場所情報１２３２として保持される。
サーバ装置１４は、認証部１４ａと、通信部１４ｂと、機器番号生成部１４ｃとを備えている。機器番号生成部１４ｃは、逆演算を行うことによって第１機器番号１２３１に対応する第２機器番号１２３１−２を生成する。
電源ケーブル１３は、識別情報１３３を更に備えている。識別情報１３３は、例えばＱＲコード（登録商標）が有する情報、非接触ＩＣチップに記録されている情報などである。
電源ケーブル１３に接続される電気機器ＥＥＱは、識別情報を備えている。電気機器ＥＥＱの識別情報は、例えばＱＲコード（登録商標）が有する情報、非接触ＩＣチップに記録されている情報などである。
【００４１】
図４に示す例では、サーバ装置１４の通信部１４ｂと、携帯端末装置１５の通信部１５ｂとが、例えばインターネットのような第１通信回線を介して接続される。携帯端末装置１５の通信部１５ｂと、コンセントアダプタ１２の通信部１２２とは、例えば近距離無線通信回線のような第２通信回線を介して接続される。
携帯端末装置１５の識別部１５ａは、コンセントアダプタ１２の識別情報１２３と、電源ケーブル１３の識別情報１３３と、電気機器ＥＥＱの識別情報との識別を行う。携帯端末装置１５の通信部１５ｂは、識別部１５ａによって行われた識別結果と、設置場所情報１５ｄと、現在時刻情報１５ｅとをサーバ装置１４の通信部１４ｂに送信する。
機器番号生成部１４ｃは、サーバ装置１４の通信部１４ｂが受信した識別結果と、設置場所情報１５ｄと、現在時刻情報１５ｅとに基づいて第２機器番号１２３１−２を生成する。
サーバ装置１４の認証部１４ａは、識別結果と、第２機器番号１２３１−２とに基づいて、電気利用（壁コンセント１１から電気機器ＥＥＱへの電力供給）を許可できるか否かの認証を行う。サーバ装置１４の通信部１４ｂは、認証部１４ａによって行われた認証結果と、第２機器番号１２３１−２とを携帯端末装置１５の通信部１５ｂに送信する。
携帯端末装置１５の通電制御指令部１５ｃは、認証結果に基づいて、コイルＲＬ１に電流を流すか否かの指令を出す。携帯端末装置１５の通信部１５ｂは、通電制御指令部１５ｃによって出された指令と、第２機器番号１２３１−２とをコンセントアダプタ１２の通信部１２２に送信する。
コンセントアダプタ１２の認証部１２６は、第１機器番号１２３１と第２機器番号１２３１−２とを照合する。第１機器番号１２３１と第２機器番号１２３１−２とが合致するとコンセントアダプタ１２の認証部１２６が認証した場合に、コンセントアダプタ１２の通電制御部１２１は、指令に基づいて、コイルＲＬ１に電流を流すか否かの制御を行う。
【００４２】
つまり、図３に示す例では、抵抗１３２Ｒの抵抗値に基づいて、コイルＲＬ１に電流を流すか否かの制御が行われる。一方、図４に示す例では、コンセントアダプタ１２の識別情報１２３と、電源ケーブル１３の識別情報１３３と、電気機器ＥＥＱの識別情報とに基づく（すなわち、コンセントアダプタ１２、電源ケーブル１３および電気機器ＥＥＱが権限を有するか否かに基づく）と共に、第１機器番号１２３１と第２機器番号１２３１−２との照合結果に基づいて、コイルＲＬ１に電流を流すか否かの制御が行われる。
図４に示す例では、第１機器番号１２３１そのものは、コンセントアダプタ１２から携帯端末装置１５に開示されない。そのため、コンセントアダプタ１２は、サーバ装置１４の機器番号生成部１４ｃが生成した第２機器番号１２３１−２を受信した場合に、第１機器番号１２３１と第２機器番号１２３１−２とを照合する認証を行うことができる。
【００４３】
第４実施形態の不正接続防止装置１では、コンセントアダプタ１２、電源ケーブル１３および電気機器ＥＥＱが権限を有する場合に、スイッチＲＬ２、ＲＬ２−２が閉状態になり、壁コンセント１１からの電力供給が許可される。一方、コンセントアダプタ１２、電源ケーブル１３および電気機器ＥＥＱが権限を有さない場合に、スイッチＲＬ２、ＲＬ２−２が開状態になり、壁コンセント１１からの電力供給が禁止される。つまり、不正接続防止装置１は、壁コンセント１１からの電力供給の許可状態と禁止状態とを切り替えることができる。そのため、不正接続防止装置１は、壁コンセント１１からの電力の不正利用を防止することができる。
【００４４】
（第５実施形態）
以下、第５実施形態の不正接続防止装置１について説明する。第５実施形態の不正接続防止装置１は、後述する点を除き、図４に示す第４実施形態の不正接続防止装置１と同様に構成されている。従って、第５実施形態の不正接続防止装置１によれば、後述する点を除き、図４に示す第４実施形態の不正接続防止装置１と同様の効果を奏することができる。
【００４５】
図４に示す第４実施形態の不正接続防止装置１では、コンセントアダプタ１２が、第１機器番号１２３１と、設置場所情報１２３２と、現在時刻情報１２３３と、識別情報生成部１２５と、認証部１２６とを備えているが、第５実施形態の不正接続防止装置１では、コンセントアダプタ１２が、第１機器番号１２３１と、設置場所情報１２３２と、現在時刻情報１２３３と、識別情報生成部１２５と、認証部１２６とを備えておらず、識別情報１２３を備えている。
図４に示す第４実施形態の不正接続防止装置１では、携帯端末装置１５が、設置場所情報１５ｄと、現在時刻情報１５ｅとを備えているが、第５実施形態の不正接続防止装置１では、携帯端末装置１５が、設置場所情報１５ｄと、現在時刻情報１５ｅとを備えていない。
図４に示す第４実施形態の不正接続防止装置１では、サーバ装置１４が、機器番号生成部１４ｃを備えているが、第５実施形態の不正接続防止装置１では、サーバ装置１４が、機器番号生成部１４ｃを備えていない。
図４に示す第４実施形態の不正接続防止装置１では、識別情報１２３が、第１機器番号１２３１と、設置場所情報１２３２と、現在時刻情報１２３３とに基づいて、識別情報生成部１２５によって生成されるが、第５実施形態の不正接続防止装置１では、識別情報１２３が、例えばＱＲコード（登録商標）が有する情報、非接触ＩＣチップに記録されている情報などである。
【００４６】
なお、実施形態による通電制御部１２１および抵抗値制御部１２ＣＴＲ、１３１ＣＴＲは、コンピュータシステムを含む。通電制御部１２１および抵抗値制御部１２ＣＴＲ、１３１ＣＴＲは、上記の処理を実現するためのプログラムをコンピュータ読み取り可能な記録媒体に記録して、当該記録媒体に記録されたプログラムをコンピュータシステムに読み込ませ、実行することにより、上述した種々の処理を行ってもよい。なお、ここでいう「コンピュータシステム」とは、ＯＳや周辺機器等のハードウェアを含むものであってもよい。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４８】
以上、本発明を実施するための形態について実施形態を用いて説明したが、本発明はこうした実施形態に何等限定されるものではなく、本発明の要旨を逸脱しない範囲内において種々の変形及び置換を加えることができる。例えば、本実施形態に示した変形例等を、他の実施形態に適用することができる。
【符号の説明】
【００４９】
１…不正接続防止装置、１１…壁コンセント、１１ＨＬ…ホットライン、１１ＨＯＴ…ホット側出力端子、１１ＣＬ…コールドライン、１１ＣＯＴ…コールド側出力端子、１１ＧＬ…グランドライン、１１ＧＯＴ…グランド側出力端子、１２…コンセントアダプタ、１２Ｐ…プラグ部、１２Ｃ…コンセント部、１２ＨＩＴ…ホット側入力端子、１２ＨＬ…ホットライン、１２ＨＯＴ…ホット側出力端子、１２ＣＩＴ…コールド側入力端子、１２ＣＬ…コールドライン、１２ＣＯＴ…コールド側出力端子、１２ＧＩＴ…グランド側入力端子、１２ＧＬ…グランドライン、１２ＧＯＴ…グランド側出力端子、１２Ｒ…抵抗、１２ＳＬ…短絡ライン、１２ＶＲ…可変抵抗、１２ＣＴＲ…抵抗値制御部、１２１…通電制御部、１２２…通信部、１２３…識別情報、１２３１…第１機器番号、１２３１−２…第２機器番号、１２３２…設置場所情報、１２３３…現在時刻情報、１２４…固定機構、１２５…識別情報生成部、１２６…認証部、ＲＬ…リレー、ＲＬ１…コイル、ＲＬ２…スイッチ、ＲＬ２−２…スイッチ、１３…電源ケーブル、１３１…プラグ部、１３１ＨＩＴ…ホット側入力端子、１３１ＨＬ…ホットライン、１３１ＣＩＴ…コールド側入力端子、１３１ＣＬ…コールドライン、１３１ＧＩＴ…グランド側入力端子、１３１ＧＬ…グランドライン、１３１ＳＬ…短絡ライン、１３１ＶＲ…可変抵抗、１３１ＣＴＲ…抵抗値制御部、１３２…ケーブル部、ＣＣＩＤ…コントロールユニット、１３２Ｒ…抵抗、１３３…識別情報、１４…サーバ装置、１４ａ…認証部、１４ｂ…通信部、１４ｃ…機器番号生成部、１５…携帯端末装置、１５ａ…識別部、１５ｂ…通信部、１５ｃ…通電制御指令部、１５ｄ…設置場所情報、１５ｅ…現在時刻情報、ＡＣ…交流電源、ＥＬＢ…漏電遮断器、ＲＧ…接地抵抗、ＥＥＱ…電気機器
【図１】
2018170111.tif 000003
【図２】
2018170111.tif 000004
【図３】
2018170111.tif 000005
【図４】
2018170111.tif 000006